【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
計算システムで実行されているメディアアプリケーションの発見インターフェースを表示装置上に表示するための、計算システムにおける方法であって、
所与の時間帯に対して利用可能なテレビ放送番組コンテンツの提供リストに対する放送チャンネル行と、前記放送チャンネル行に関連する、利用可能な非放送ビデオ・オン・デマンド番組コンテンツの提供リストに対する仮想チャンネル行とを含む統合発見インターフェースを、前記表示装置上に表示するステップと、
前記利用可能な非放送ビデオ・オン・デマンド番組コンテンツの提供を前記統合発見インターフェースの仮想チャンネル行内に複数のグラフィックタイルとして提示するステップであって、グラフィックタイルそれぞれが、前記利用可能なテレビ放送番組コンテンツに関連する利用可能な非放送ビデオ・オン・デマンド番組コンテンツの提供を表していて、前記グラフィックタイルのフォーカスされていない状態に指定されている少なくとも１つの寸法パラメータを有するものと、
前記統合発見インターフェース内のフォーカスを移動する入力を受信するステップと、
前記フォーカスが、仮想チャンネル行内へかつその中の前記グラフィックタイルの１つに移動していることを検出するステップと、
前記検出に応答して前記統合発見インターフェースの表示を変更するステップであって、前記仮想チャンネル行内のフォーカスされたグラフィックタイルの少なくとも１つの寸法が、フォーカスされていない状態に指定されている少なくとも１つの対応する寸法パラメータを上回るように拡大されるように表示されるものと、を含む方法。
【請求項２】
前記統合発見インターフェースが、前記フォーカスされたグラフィックタイルを選択する入力の受信に応答して前記フォーカスされたグラフィックタイルによって示された利用可能な非放送ビデオ・オン・デマンドコンテンツの提供にアクセスするための電子番組ガイドを含むことを特徴とする請求項１記載の方法。
【請求項３】
前記フォーカスされたグラフィックタイルに関連付けられた利用可能な非放送ビデオ・オン・デマンドコンテンツが、前記所与の時間帯において利用可能な特定のテレビジョン番組の１回放映分に関連する利用可能な非放送ビデオ・オン・デマンドコンテンツの提供を表すことを特徴とする請求項１記載の方法。
【請求項４】
前記利用可能な非放送ビデオ・オン・デマンド番組コンテンツの提供に関係する発見データを収集するステップであって、前記発見データが、前記利用可能な非放送ビデオ・オン・デマンド番組コンテンツの提供のそれぞれに関連付けられたグラフィックスを指定しているもの、を更に含むことを特徴とする請求項１記載の方法。
【請求項５】
前記フォーカスされたグラフィックタイルの高さ及び幅双方を、前記フォーカスされていない状態に指定されている高さ及び幅パラメータを上回るために拡大するように前記統合発見インターフェースの表示を変更するステップ、を更に含むことを特徴とする請求項１記載の方法。
【請求項６】
前記仮想チャンネル行の中のフォーカスされていないグラフィックタイルすべての少なくとも１つの寸法を上回るために前記フォーカスされたグラフィックタイルを拡大するように前記統合発見インターフェースの表示を変更するステップ、を更に含むことを特徴とする請求項１記載の方法。
【請求項７】
利用可能な非放送ビデオ・オン・デマンド番組コンテンツの追加の提供をリストするために、前記統合発見インターフェース内に第２の仮想チャンネル行を表示するステップと、
前記第２の仮想チャンネル行内に第２の複数のグラフィックタイルとして、前記利用可能な非放送ビデオ・オン・デマンド番組コンテンツの追加の提供を表示するステップと、を更に含むこと特徴とする請求項１記載の方法。
【請求項８】
前記フォーカスされたグラフィックタイルを含む前記仮想チャンネル行がフォーカスを有し、前記第２の仮想チャンネル行がフォーカスを有さず、更に、
前記第２の仮想チャンネル行内に、前記フォーカスされた仮想チャンネル行内の前記フォーカスされていないグラフィックタイルよりも小さい、前記第２の複数のグラフィックタイルの各グラフィックタイルを表示するステップ、を含むことを特徴とする請求項７記載の方法。
【請求項９】
前記フォーカスされた仮想チャンネル行内でリストされた、利用可能な非放送ビデオ・オン・デマンド番組コンテンツの提供と、前記第２の仮想チャンネル行が、異なるビデオ・オン・デマンド番組コンテンツプロバイダーによって供給されること、を特徴とする請求項８記載の方法。
【請求項１０】
前記利用可能な非放送ビデオ・オン・デマンド番組コンテンツの提供に関連する発見データを収集するステップであって、前記発見データが、前記利用可能な非放送ビデオ・オン・デマンド番組コンテンツの提供のそれぞれに関連付けられたメタデータを指定しているものと、
前記仮想チャンネル行内の前記フォーカスされたグラフィックタイルの近傍に、前記フォーカスされたグラフィックタイルによって示された提供に関連付けられたメタデータを表示するステップと、を更に含むことを特徴とする請求項１記載の方法。
【請求項１１】
実行された時に、以下の動作を実装する計算機プロセスを計算機システムに実行させるための計算機実行可能命令を記憶する計算機可読記憶媒体であって、前記動作が、
メディアアプリケーションに対して、所与の時間帯に対して利用可能なテレビ放送番組コンテンツの提供リストに対する放送チャンネル行と、前記放送チャンネル行に関連する、利用可能な非放送ビデオ・オン・デマンド番組コンテンツの提供リストに対する仮想チャンネル行とを含む統合発見インターフェースを、前記表示装置上に表示するステップと、
前記利用可能な非放送ビデオ・オン・デマンド番組コンテンツの提供を前記メディアアプリケーションの統合発見インターフェースの仮想チャンネル行内に複数のグラフィックタイルとして提示するステップであって、グラフィックタイルそれぞれが、前記利用可能なテレビ放送番組コンテンツに関連する利用可能な非放送ビデオ・オン・デマンド番組コンテンツの提供を表していて、前記グラフィックタイルのフォーカスされていない状態に指定されている少なくとも１つの寸法パラメータを有するものと、
前記統合発見インターフェース内のフォーカスを移動する入力を受信するステップと、
前記フォーカスが、仮想チャンネル行内へかつその中の前記グラフィックタイルの１つに移動されていることを検出するステップと、
前記検出に応答して前記統合発見インターフェースの表示を変更するステップであって、前記仮想チャンネル行内のフォーカスされたグラフィックタイルの少なくとも１つの寸法が、フォーカスされていない状態に指定されている少なくとも１つの対応する寸法パラメータを上回るように拡大されるように表示されるものと、を含む計算機可読記憶媒体。
【請求項１２】
前記フォーカスされたグラフィックタイルに関連付けられた利用可能な非放送ビデオ・オン・デマンドコンテンツが、利用可能な非放送ビデオ・オン・デマンドコンテンツの提供を表すことを特徴とする請求項１１記載の計算機可読記憶媒体。
【請求項１３】
前記利用可能な非放送ビデオ・オン・デマンド番組コンテンツの提供に関連する発見データを収集するステップであって、前記発見データが、前記利用可能な非放送ビデオ・オン・デマンド番組コンテンツの提供のそれぞれに関係付けられたグラフィックスを指定しているもの、に対する計算機実行可能命令を更に含むことを特徴とする請求項１１記載の計算機可読記憶媒体。
【請求項１４】
前記フォーカスされていない状態に指定されている高さ及び幅パラメータを上回るために前記フォーカスされたグラフィックタイルの高さ及び幅双方を拡大するように前記統合発見インターフェースの表示を変更するステップに対する計算機実行可能命令を更に含むことを特徴とする請求項１１記載の計算機可読記憶媒体。
【請求項１５】
前記仮想チャンネル行の中のフォーカスされていないグラフィックタイルすべての少なくとも１つの寸法を上回るために前記フォーカスされたグラフィックタイルを拡大するように前記統合発見インターフェースの表示を変更するステップに対する計算機実行可能命令を更に含むことを特徴とする請求項１１記載の計算機可読記憶媒体。
【請求項１６】
利用可能な非放送ビデオ・オン・デマンド番組コンテンツの追加の提供をリストするために、前記統合発見インターフェース内に第２の仮想チャンネル行を表示するステップと、
前記第２の仮想チャンネル行内に第２の複数のグラフィックタイルとして、前記利用可能な非放送ビデオ・オン・デマンド番組コンテンツの追加の提供を表示するステップと、に対する計算機実行可能命令を更に含むことを特徴とする請求項１１記載の計算機可読記憶媒体。
【請求項１７】
前記フォーカスされたグラフィックタイルを含む前記仮想チャンネル行がフォーカスを有し、前記第２の仮想チャンネル行がフォーカスを有さず、前記計算機プロセスが更に、
前記第２の仮想チャンネル行内に、前記フォーカスされた仮想チャンネル行内の前記フォーカスされていないグラフィックタイルよりも小さい、前記第２の複数のグラフィックタイルの各グラフィックタイルを表示するステップ、を含むことを特徴とする請求項１６記載の計算機可読記憶媒体。
【請求項１８】
前記フォーカスされた仮想チャンネル行内でリストされた、利用可能な非放送ビデオ・オン・デマンド番組コンテンツの提供と、前記第２の仮想チャンネル行が、異なるビデオ・オン・デマンド番組コンテンツプロバイダーによって供給されること、を含むことを特徴とする請求項１６記載の計算機可読記憶媒体。
【請求項１９】
前記利用可能な非放送ビデオ・オン・デマンド番組コンテンツの提供に関連する発見データを収集するステップであって、前記発見データが、前記利用可能な非放送ビデオ・オン・デマンド番組コンテンツの提供のそれぞれに関係するメタデータを指定しているものと、
前記仮想チャンネル行内の前記フォーカスされたグラフィックタイルの近傍に、前記フォーカスされたグラフィックタイルによって示された提供に関連付けされたメタデータを表示するステップと、に対する計算機実行可能命令を更に含むことを特徴とする請求項１１記載の計算機可読記憶媒体。
【請求項２０】
計算システム上で実行されるメディアアプリケーションの発見インターフェースを、表示装置に表示するための計算システムであって、
計算機実行可能命令を記憶するためのメモリーと、
前記計算機システムに以下の計算機プロセスを実行させる前記計算機実行可能命令を実行するための１つ以上のプロセッサと、を含み、前記計算機プロセスが、
所与の時間帯に対して利用可能なテレビ放送番組コンテンツの提供リストに対する放送チャンネル行と、前記放送チャンネル行に関連する、利用可能な非放送ビデオ・オン・デマンド番組コンテンツの提供リストに対する仮想チャンネル行とを含む統合発見インターフェースを、前記表示装置上に表示するステップと、
前記利用可能な非放送ビデオ・オン・デマンド番組コンテンツの提供を前記メディアアプリケーションの統合発見インターフェースの仮想チャンネル行内に複数のグラフィックタイルとして提示するステップであって、グラフィックタイルそれぞれが、前記利用可能なテレビ放送番組コンテンツに関連する利用可能な非放送ビデオ・オン・デマンド番組コンテンツの提供を表していて、前記グラフィックタイルのフォーカスされていない状態に指定されている少なくとも１つの寸法パラメータを有するものと、
前記統合発見インターフェース内のフォーカスを移動する入力を受信するステップと、
前記フォーカスが、仮想チャンネル行内へかつその中の前記グラフィックタイルの１つに移動していることを検出するステップと、
前記検出に応答して、前記仮想チャンネル行内のフォーカスされたグラフィックタイルの少なくとも１つの寸法が、前記フォーカスされていない状態に指定されている少なくとも１つの対応する寸法パラメータを上回るように拡大されて表示するように前記統合発見インターフェースの表示を変更するステップと、を含むことを特徴とする、計算機システム。